(57)【特許請求の範囲】
【請求項１】
オムツの内側に当てるための、厚さがオムツの中で押された状態で０．５ｃｍ〜２．０ｃｍである保水性のない綿状の繊維であるポリエステル綿からなり、当該ポリエステル綿の肛門付近が凸部であることを特徴とする水溶性下痢状排泄物用パッド。
【発明の詳細な説明】
【０００１】
【発明の属する技術分野】
本発明は水溶性下痢、尿失禁用パッド、特に老人介護において被介護者が水溶性下痢状の排便、及び尿失禁をしたときのパッドに関する。
【０００２】
【従来の技術】
従来、寝たきり老人介護において、被介護者が水溶性下痢状の排便をしたとき、懸濁状の排泄物がオムツから漏れだし、被介護者の身体はもちろん衣服、寝具等を汚し、その後処理に大きな手間を要するのみでなく、被介護者の褥瘡や尿路感染症等の疾患の原因ともなっていた。たとえオムツから排泄物が漏れない場合でも、排泄物は被介護者の皮膚や粘膜にべっとりと付着してしまうものである（図４）。現状はオムツの使用あるいはオムツに小水用パッドの併用で処理されるが、この問題は解決されていない。
【０００３】
オムツにしても、あるいは小水用パッドの併用にしても、水分を多く含んだ水溶性下痢状排泄物を処理するために考案されたものではなく、あくまでも通常の大便、小便の処理として作製されているのが現状である。
【０００４】
【発明が解決しょうとする課題】
そこで本発明は通常のオムツを使用して水溶性下痢状排泄物、及び尿をオムツから漏らさず、且つ被介護者の不快感を最小限にし、肛門周囲の皮膚や粘膜が不潔にならない水溶性下痢、尿失禁用パッドを提供することを目的とする。
【０００５】
【課題を解決するための手段】
本発明をするにあたり、本発明者が第一に考えた点は、水溶性下痢状排泄物の物理的性状の特徴である。つまり、通常の大便は固形あるいはそれに近い性状であり、少量含まれる水分はオムツのパッドに吸収され固形成分が皮膚面に散らないでパッド表面に残されるものである。従って、皮膚に接触するにしても不快感は水溶性下痢に較べれば少ないものであり、また小水は水溶液としてすべてパッドに吸収され皮膚に触れる面には残らないものである。この点に関しては、近年開発されているオムツあるいはパッドは皮膚の不快感を軽減しているものである。
【０００６】
これに対し水溶性下痢状排泄物は、水分を大量に含み、かつ懸濁液状であり、粘度も高いため通常のオムツ、あるいはパッドでは水分が十分に吸収されず、結果として、液状の排泄物が皮膚面に散り、かつべっとりと付着し不潔の原因となっている（図４）。また、排泄物がオムツと皮膚との間隙に幅広く臀部全体に広がり、体の動きや排泄物の量によってはオムツから漏れ出すという欠点があった。以上の分析から本発明が着目した点は、「水溶性下痢状排泄物を何らかの工夫により固形成分と水分とを分離することが出来れば、通常のオムツの使用で（つまり、現状のオムツ交換処置法のなかで）この問題を解決できるのではないか」ということであった。
【０００７】
さらに考えた点は、単純な発想として懸濁液を濾過すれば、固形成分と水溶液の分離が可能である。濾過機能を果たす材料として、濾紙あるいはそれに代わる非吸水性の細かい網目状の膜が考えられる。しかし、この場合、保水層（水分を吸収し保持する層）と皮膚の間に殆ど隙間がないため、固形成分から水分が十分に除去されず、皮膚にべたべたの状態で付着することになる。そこでこれを避けるためには保水層と皮膚の間にある程度の間隙が必要であると考えた。さらに、固形成分から水分を十分に除去するには何らかの力で水分を吸い取るような仕組みがあれば尚よいと考えた。また、使用する材料は皮膚にやさしく柔らかな材質でなければならない。そこで考えたのが脱脂綿である。
【０００８】
しかし、木綿繊維はそれ自体に吸水性（保水性）があり、実際に試みた結果では排泄物は皮膚にべたべたの状態で付着してしまった。次いで、保水性のない綿状の繊維としてポリエステル系繊維綿，ポリアミド系繊維綿，ポリウレタン系繊維綿，ポリオレフィン系繊維綿，ポリスチレン系繊維綿，ポリ塩化ビニル系繊維綿，ポリアクリロニトリル系繊維綿，又はポリビニルアルコール系繊維綿があるが、そのなかで特にポリエステル綿を試みた。ポリエステル綿はそれ自体に保水性をもたず、水分は毛細管現象で能動的に吸い上げられ、保水層へ移行し保持された（図１参照）。又ポリエステル綿は入手性、柔軟性、熱安定性等にもすぐれており好適である。
【０００９】
以上の発想から、ポリエステル綿をオムツからはみ出さないようにオムツの内側に広げて使用した（図５，図６）。その結果、期待通り固形成分と水分がうまく分離され、オムツを外したとき固形成分は皮膚からうまく分離し、散らばることなく、集中的に残された（図７，図８）。ポリエステル綿で濾過されて残された固形成分は水分も少なく、皮膚や粘膜にへばり付くような状態ではなかった。ポリエステル綿を使用することによりオムツの中で排泄された水溶性下痢状便が固形成分と水分にうまく分離できること、及び尿の場合は皮膚が乾燥状態で保たれることが明らかになった。
【００１０】
又、ポリエステル綿の厚さはオムツの中で押された状態で0.5cm〜2.0cmが良い。あつすぎると水分が保水層までとどかず、濾過効果がないし、薄すぎれば上記の機能を発揮することが出来ないからである。
【００１１】
さらに、肛門付近の綿に凸部を作製すると綿が皮膚によく接触し排泄された水溶性成分が皮膚上に散ることなく吸収されるので、漏れ防止に有効である。
【００１２】
【発明の実施の形態】
以下本発明の形態の一例を図面に基づいて説明する。図１は尻に保水性のない綿状の繊維を当てた図を示すものであり、保水性のない綿状の繊維としてはポリエステル綿２が好適である。尻１に当てられたポリエステル綿２は濾過機能、吸水機能を有し、ポリエステル綿の毛細管現象で水分を保水層であるオムツ３へ吸引させる。オムツ３は通常市販されているものであり、不織布等で出来ているものである。
【００１３】
図２は肛門５付近に当てられたポリエステル綿２に凸部４を作った図を示す。凸部があると肛門の形状に適合し、綿が皮膚の表面にうまく接触し排泄された水溶性成分が皮膚の上を伝わって広がるのを防ぎ漏れ防止に有効に働くものである。
【００１４】
図３はオムツ３にポリエステル綿を当てた状態を示す図である。オムツ３，特にテープ止めタイプのオムツの場合は、オムツ３の形状にあわせてポリエステル綿２の形を作製するものであるがポリエステル綿２の大きさはオムツ３からはみ出さない程度である。
ポリエステル綿２の厚さはオムツの中で押された状態で0.5cm〜2.0cmが好適である。
【００１５】
又ポリエステル綿２の材質から形状は使用時に比較的自由に調節でき、従って、固定した幅、厚さ、長さあるいは形態を規定する必要はなく被介護者の体型、可動範囲、予想される排泄物の量などにあわせて使用することが出来るものである。
【００１６】
【発明の効果】
本発明は以上の構成を有するので、通常のオムツを使用して水溶性下痢状排泄物、及び尿失禁をオムツから漏らさず、且つ被介護者の不快感を最小限にし、肛門、膀胱周囲の皮膚や粘膜が乾燥状態に保たれ不潔にならないようにすることが出来るものである。
【図面の簡単な説明】
【図１】尻に保水性のない綿状の繊維を当てた状態を示す図である。
【図２】肛門付近に当てられたポリエステル綿に凸部を作った状態を示す図である。
【図３】オムツにポリエステル綿を当てた状態を示す図である。
【図４】排泄物が被介護者の皮膚や粘膜に付着した状態を示す図である。
【図５】ポリエステル綿をオムツからはみ出さないようにオムツの内側に広げて使用した状態を示す図である。
【図６】ポリエステル綿をオムツからはみ出さないようにオムツの内側に広げて使用した状態を示す図である。
【図７】オムツを外した時固形成分が皮膚から分離した状態を示す図である。
【図８】オムツを外した時固形成分が皮膚から分離した状態を示す図である。
【符号の説明】
１．        尻
２．        ポリエステル綿
３．        オムツ
４．        凸部
５．        肛門
【図１】
0004433445.tif 000002
【図２】
0004433445.tif 000003
【図３】
0004433445.tif 000004
【図４】
0004433445.tif 000005
【図５】
0004433445.tif 000006
【図６】
0004433445.tif 000007
【図７】
0004433445.tif 000008
【図８】
0004433445.tif 000009